(57)【要約】  サンプルを注入すべき反応容器を間違えることを防ぐとともに、サンプル注入前であるのか、サンプル注入後であるのかを容易に判定できるようにする。  サンプル注入前に第１のバーコードラベルのバーコード（１３２）をバーコードリーダにより読み取り、その反応容器が、注入しようとするサンプルについて依頼を受けた検査項目用の反応容器であるか否かを自動的に判定する。その反応容器が正しいものであったときは、第１のバーコードラベル（１３０）を剥がし、サンプル容器（３２）にサンプルを注入する。その後、第２のバーコードラベル（１３４）をサンプル容器（３２）上に貼付する。これで、第２のバーコードラベル（１３４）により開口（３１）が密封され、サンプルがこの反応容器のカバー（２４）で覆われた空間内に導入された状態で外部と遮断される。
2007132740.tif 000002
【特許請求の範囲】
【請求項１】
サンプルに反応を起こさせる反応部とサンプルの反応に使用される試薬を収容した試薬容器を備えた反応容器と、
前記反応容器に固有の情報を示すデータを少なくとも含み、前記反応容器へのサンプル分注前に読むためのデータが記録されており、前記反応容器に予め貼付されている第１のバーコードラベルと、
第１のバーコードラベルのデータとは異なるデータであって、前記反応容器へのサンプル分注後に読むためのデータが記録されており、前記反応容器に貼付できるように配置されている第２のバーコードラベルと、
を備えた反応容器キット。
【請求項２】
第１のバーコードラベルは読まれた後は少なくとも一部が剥がされるものである請求項１に記載の反応容器キット。
【請求項３】
前記反応容器はサンプル導入部となる開口部をもち、
第１のバーコードラベルの剥がされるべき部分を剥がさなければ前記開口部を開けられないように、第１のバーコードラベルがサンプル導入部に貼付されている請求項２に記載の反応容器キット。
【請求項４】
第２のバーコードラベルはサンプル注入後に前記開口部を密封するシール部材を兼ねている請求項３に記載の反応容器キット。
【請求項５】
前記反応容器は、
表面側に前記反応部と前記試薬容器を備えた反応プレートと、
前記反応プレートの表面側の上方に配置された分注チップと、
前記反応プレート上の表面側の上部空間を覆うとともに、前記分注チップをその先端部が前記空間の内側、基端部が外側になるようにして移動可能に支持しているカバーと、を備え、
前記開口部は前記カバーの一部に設けられ、前記サンプル導入部は前記開口部を介して外部から前記空間内にサンプルを注入するようになっている請求項３に記載の反応容器キット。
【請求項６】
前記反応プレートはその表面側に前記試薬容器を有し、前記試薬容器はフィルムで封止されている請求項５に記載の反応容器キット。
【請求項７】
前記分注チップは前記カバーの外側から操作するシリンジを備えており、そのシリンジの操作により分注動作を行なうものである請求項６に記載の反応容器キット。
【請求項８】
前記分注チップは先端部の内部にフィルタを備えている請求項６に記載の反応容器キット。
【請求項９】
前記反応プレートはその表面側に遺伝子増幅反応を行なう遺伝子増幅部を備えている請求項５に記載の反応容器キット。
【請求項１０】
前記反応容器は底部から光学的に測定が可能なように光透過性の材質にて構成されている請求項５に記載の反応容器キット。
【請求項１１】
前記反応プレートはその表面側に前記反応容器での反応生成物の分析を行なう分析部をさらに備えている請求項５に記載の反応容器キット。
【請求項１２】
前記分析部は反応生成物の電気泳動分離を行なう電気泳動部である請求項１１に記載の反応容器キット。
【請求項１３】
前記分析部は反応生成物に遺伝子が含まれている場合にその遺伝子と反応するプローブが配置されている領域である請求項１１に記載の反応容器キット。
【請求項１４】
前記カバーは前記反応プレートと一体化された剛性をもつカバー本体と、前記カバー本体に取りつけられて反応プレートの表面側の上部に配置され、気密性をもち柔軟性のある素材によって前記分注チップを保持し移動可能に支持している上部カバー体とからなり、
前記サンプル導入部が配置される開口は前記カバー本体に設けられ、前記シール部材は前記カバー本体に貼り付けられるようになっている請求項５に記載の反応容器キット。
【請求項１５】
前記カバーは前記反応プレートと一体化されたカバー本体と、前記反応プレートの表面側の上部に配置され、前記カバー本体に対してシール材により気密を保って水平面内で摺動可能に保持されたカバープレートとからなり、
前記分注チップが前記カバープレートに他のシール材により気密を保って垂直方向に摺動可能に保持されており、
前記サンプル導入部が配置される開口は前記カバー本体に設けられ、前記開口を密閉するシール部材は前記カバー本体に貼り付けられるようになっている請求項５に記載の反応容器キット。
【発明の詳細な説明】
【技術分野】
【０００１】
本発明は生物学的分析、生化学的分析、又は化学分析一般の分野において、医療や化学の現場において各種の解析や分析を行なうのに適する反応容器キットに関するものである。
【背景技術】
【０００２】
生化学的分析や通常の化学分析に使用する小型の反応装置としては、マイクロマルチチャンバ装置が使用されている。そのような装置では、反応容器として、例えば平板状の基板表面に複数のウエルを形成したマイクロタイタープレートなどのマイクロウエル反応プレートが用いられている。【０００３】
また、反応容器としてサンプルに反応を起こさせる反応部とサンプルの反応に使用される試薬を収容した試薬容器を備えた反応容器が試薬キットとして提案されている。
そのような反応容器では、サンプルの検査項目に応じた試薬が予め選択されて反応容器の試薬容器に収容されている。
【発明の開示】
【発明が解決しようとする課題】
【０００４】
予め試薬が用意された反応容器を用いてサンプルを検査する際、依頼された検査項目に応じた反応容器を使用しなければならないが、間違った反応容器にサンプルを注入してしまうに人為的なミスが発生する虞がある。
また、反応容器によってはサンプルを注入していない反応容器であるのか、サンプルを注入した反応容器であるのかといった判別もしにくいものもある。【０００５】
本発明は、サンプルを注入すべき反応容器を間違えることを防ぐとともに、サンプル注入前であるのか、サンプル注入後であるのかを容易に判定できるようにすることを目的とするものである。
【課題を解決するための手段】
【０００６】
本発明の反応容器キットは、サンプルに反応を起こさせる反応部とサンプルの反応に使用される試薬を収容した試薬容器を備えたものであって、反応容器へのサンプル分注前に読むための第１のバーコードラベルと、反応容器へのサンプル分注後に読むための第２のバーコードラベルとを備えている。そして、第１のバーコードラベルはその反応容器に予め貼付されており、第２のバーコードラベルはその反応容器に貼付できるように配置されおり、第１のバーコードラベルと第２のバーコードラベルには異なるデータが記録されており、第１のバーコードラベルはその反応容器に固有の情報を示すデータを少なくとも含んでいる。【０００７】
サンプル注入前に第１のバーコードラベルをバーコードリーダにより読み取り、その反応容器が注入しようとするサンプルについて依頼を受けた検査項目用の反応容器であるか否かを自動的に判定するようにする。【０００８】
第１のバーコードラベルには、さらにその反応容器にはまだサンプルが注入されていないことを示すデータを記録しておき、第２のバーコードラベルにはその反応容器にはすでにサンプルが注入されていることを示すデータを記録しておくことができる。反応容器に貼付されているバーコードラベルが第１のバーコードラベルであれば、そのバーコードラベルをバーコードリーダで読み取ることによりその反応容器はまだサンプルが注入されていないものであると判断することができ、反応容器に貼付されているバーコードラベルが第２のバーコードラベルであれば、そのバーコードラベルをバーコードリーダで読み取ることによりその反応容器はすでにサンプルが注入されているものであると判断することができる。【０００９】
サンプルを注入した後にも第１のバーコードラベルが反応容器に貼付されたまま残らないようにするための好ましい形態は、第１のバーコードラベルは読まれた後は全部又は一部が剥がされるものである。【００１０】
第１のバーコードラベルの一部が剥がされるようになっている場合には、第１のバーコードラベルのうち、剥がされずに反応容器に貼付されたまま残る部分には、例えばその反応容器で検査される項目などの反応容器に固有の情報を示すデータを記録しておき、第１のバーコードラベルで剥がされるべき部分にはその反応容器にはまだサンプルが注入されていないことを示すデータを記録しておき、第２のバーコードラベルにはその反応容器にはすでにサンプルが注入されていることを示すデータを記録しておくようにすることができる。【００１１】
第１のバーコードラベルが読まれた後は全部又は一部が剥がされるものとなっているための好ましい一形態として、反応容器がサンプル導入部となる開口部をもち、第１のバーコードラベルの剥がされるべき部分を剥がさなければその開口部を開けられないように、第１のバーコードラベルがサンプル導入部に貼付されているものを挙げることができる。その場合、第２のバーコードラベルはサンプル注入後にその開口部を密封するシール部材を兼ねていることが好ましい。【００１２】
従来のマイクロウエル反応プレートは、使用時には反応プレートの上面は大気に開放された状態となる。そのため、サンプルに外部から異物が進入する恐れがあるし、逆に反応生成物が外部の環境を汚染することもありうる。そこで、本発明の反応容器キットの好ましい形態は、外部からの異物の進入や、外部への環境汚染を防ぐことができるようにしたものである。【００１３】
そのような反応容器キットの一例は、表面側に反応部と試薬容器を備えた反応プレートと、反応プレートの表面側の上方に配置された分注チップと、反応プレート上の表面側の上部空間を覆うとともに、分注チップをその先端部が前記空間の内側、基端部が外側になるようにして移動可能に支持しているカバーとを備えたものであり、前記開口部はカバーの一部に設けられ、サンプル導入部は開口部を介して外部から前記空間内にサンプルを注入するようになっているものである。【００１４】
反応プレートの好ましい一形態は、その表面側に試薬容器を有し、試薬容器はフィルムで封止されているものである。試薬容器を被って試薬を封止しているフィルムは分注チップで貫通可能なものである。【００１５】
反応プレート上の表面側の空間はカバーで覆われて外部と遮断されており、サンプルに対する反応はその空間内で行なわれる。反応後の反応生成物の検知も反応生成物をそのカバーの外に出すことなく、反応生成物がカバー内にある状態で行なわれる。検知後は反応生成物がカバー内にある状態のままでこの反応容器が廃棄処理される。すなわち、この反応容器は使い捨て可能である。【００１６】
分注チップは分注ノズルの先端に取り付けられるものであってもよい。その場合には分注動作のためにはノズル機構が別途必要になる。そこで、そのようなノズル機構を不要にすることを目的として、本発明の好ましい形態では、分注チップはカバーの外側から操作するシリンジを備えており、そのシリンジの操作により分注動作を行なうものとすることができる。分注チップがシリンジを備えている場合にはシリンジが分注チップの通路を封止しているので、カバーで覆われた空間の内外が分注チップの通路を介して通じることがない。【００１７】
分注チップがシリンジを備えていないものである場合には、分注動作時にはノズル機構により密閉状態とすることができるが、反応時や検出時など、分注チップが使用されていないときは分注チップを介して外部空間と連通する。そのような場合でも外部から異物が侵入したり、サンプルやその反応生成物が外部に出るのを阻止できるようにするための好ましい形態として、分注チップが先端部の内部にフィルタを備えているものとすることができる。【００１８】
この反応容器が遺伝子の分析を対象とする場合には、反応プレートはその表面側に遺伝子増幅反応を行なう遺伝子増幅部を備えていることが好ましい。遺伝子増幅部は所定の温度サイクルで温度制御するのに適した形状になっていることが好ましく、反応部をそのような形状にして遺伝子増幅部とすることもできるし、反応部とは別に遺伝子増幅容器を設けてもよい。遺伝子増幅反応にはＰＣＲ法やＬＡＭＰ法などを含む。【００１９】
反応容器での反応生成物の分析は、反応部内で行なうこともでき、又は反応プレート上で反応部から別の場所に移動して行なうこともできる。
反応生成物の分析を反応部内で行なうようにした形態の反応容器では、反応部は底部から光学的に測定が可能なように光透過性の材質にて構成されていることが好ましい。【００２０】
反応生成物の分析を反応部から別の場所に移動して行なうようにした形態の反応容器では、反応プレートはその表面側に反応部での反応生成物の分析を行なう分析部をさらに備えている。【００２１】
そのような分析部の一例は、反応生成物の電気泳動分離を行なう電気泳動部である。
そのような分析部の他の例は、反応生成物に遺伝子が含まれている場合にその遺伝子と反応するプローブが配置されている領域である。そのようなプローブ配置領域の例は、ＤＮＡチップやハイブリダイズ領域である。【００２２】
分注チップを保持し移動可能に支持する構造の一例は、ダイアフラムやフィルムのように、気密性をもち柔軟性のある素材によって分注チップを保持し移動可能に支持する構造である。この場合、カバーは反応プレートと一体化された剛性をもつカバー本体と、カバー本体に取りつけられて反応プレートの表面側の上部に配置され、気密性をもち柔軟性のある素材によって分注チップを保持し移動可能に支持しているダイアフラムやフィルムからなる上部カバー体とからなる。そして、サンプル導入部が配置される開口はカバー本体に設けられ、開口を密閉するシール部材はカバー本体に貼り付けられるようになっている。【００２３】
分注チップを保持し移動可能に支持する構造の他の例は、カバーが反応プレートと一体化されたカバー本体と、反応プレートの表面側の上部に配置されカバー本体に対してシール材により気密を保って水平面内で摺動可能に保持されたカバープレートとからなるものとし、分注チップがそのカバープレートに他のシール材により気密を保って垂直方向に摺動可能に保持されている構造である。この場合も、サンプル導入部が配置される開口はカバー本体に設けられ、開口を密閉するシール部材はカバー本体に貼り付けられるようになっている。【００２４】
本発明の反応容器キットは、化学反応、生化学反応を初め、種々の反応の測定に用いられるものである。
本発明の反応容器キットを用いて測定されるサンプルは、化学物質、生体試料、生体由来試料など種々のものを挙げることができ、特に限定されない。
【発明の効果】
【００２５】
本発明の反応容器キットでは、サンプル分注前に読むための第１のバーコードラベルを反応容器に予め貼付しておき、その第１のバーコードラベルにはその反応容器に固有の情報を示すデータを含むようにしたので、サンプル注入前に第１のバーコードラベルをバーコードリーダにより読み取ることにより、その反応容器が、注入しようとするサンプルについて依頼を受けた検査項目用の反応容器であるか否かを自動的に判定することができ、反応容器を誤って選択するという人為的なミスを防ぐことができる。【００２６】
また、第１のバーコードラベルは反応容器に予め貼付しておき、サンプル分注後に読むための第２のバーコードラベルを反応容器に貼付できるように配置しているので、反応容器に貼付されているバーコードラベルをバーコードリーダで読み取ることによりその反応容器はすでにサンプルが注入されたものであるか否かを判断することができるので、サンプルが注入されて検査装置に装着される前の反応容器に誤って再度サンプルを注入するといった人為的なミスも防ぐことができる。【００２７】
第１のバーコードラベルは読まれた後は全部又は一部が剥がされるようになっておれば、サンプルを注入した後にも第１のバーコードラベルが反応容器に貼付されたまま残ることがなくなり、バーコードラベルによってサンプル注入の有無をより確実に判断できるようになる。【００２８】
反応容器がサンプル導入部となる開口部をもち、第１のバーコードラベルの剥がされるべき部分を剥がさなければその開口部を開けられないように、第１のバーコードラベルがサンプル導入部に貼付されているようにすれば、サンプルを注入した後にも第１のバーコードラベルが反応容器に貼付されたまま残ることを確実に防止することができる。【００２９】
第２のバーコードラベルはサンプル注入後にその開口部を密封するシール部材を兼ねているものである場合には、その反応容器の内部を第２のバーコードラベルで密封することができるようになり、開口部を密封するための他の密封部材が不要になり、低コスト化に寄与する。【００３０】
本発明の反応容器キットで、反応プレート表面側に反応部と試薬容器を備え、その反応プレート上の表面側の上部空間をカバーで覆い、そのカバーの一部にサンプル導入部の開口部を設けて、その開口部を介して外部からカバーで被われた空間内にサンプルを注入するようになっているものは、カバーで覆われた空間内にサンプルを注入した状態でその開口を密閉することにより、外部からサンプルに異物が侵入するのを阻止することができるとともに、反応生成物が外部環境を汚染するのも阻止することができる。【００３１】
反応プレートの表面側の上方を覆うカバーにより移動可能に支持された分注チップを設け、その分注チップがカバーの外側から操作するシリンジを備えているものとすれば、ノズル機構を別途設ける必要がなくなる。
反応プレートが遺伝子増幅部をさらに備えている場合には、測定対象の遺伝子を微量にしか含んでいないサンプルでもＰＣＲ法やＬＡＭＰ法など遺伝子増幅反応によって遺伝子を増幅して分析精度を高めることができるようになる。【００３２】
分注チップが先端部の内部にフィルタを備えているものとすれば、分注チップがシリンジを備えていない場合でも、分注チップを通して外部から異物が侵入するのを阻止することができるとともに、分注チップを通して反応生成物が外部環境を汚染するのも阻止することができる。【００３３】
遺伝子増幅反応を行なう場合には外部からサンプルに他のＤＮＡなどが侵入する問題が生じる。また、増幅された遺伝子が他のサンプルを汚染する問題も生じる。本発明では遺伝子増幅反応も閉じた空間内で行ない、分析終了後はその空間に閉じたまま廃棄処理するので、外部からの汚染を阻止することができるとともに、他のサンプルを汚染する虞もなくなる。【００３４】
反応容器での反応生成物の分析を、反応部内で行なうようにしたり、反応部から別の場所に設けられた電気泳動部や、遺伝子と反応するプローブ配置領域などで行なうようにすれば、扱う試料の種類を広げることができる。【００３５】
分注チップを保持し移動可能に支持する構造を、気密性をもち柔軟性のある素材によって実現したり、カバーをカバー本体とカバープレートとからなるものとして分注チップをカバー本体に対するカバープレートの摺動とカバープレートに対する分注チップの摺動とにより移動可能に支持するようにすれば、分注チップを保持し移動可能に支持する構造を簡単な構成で実現することができる。
【図面の簡単な説明】
【００３６】
【図１】図１（Ａ）〜図１（Ｃ）は一実施例の反応容器キットの外観斜視図であり、図１（Ａ）はサンプルが注入される前の状態、図１（Ｂ）はサンプルを注入するために第１のバーコードラベルを剥がした状態、図１（Ｃ）はサンプルを注入した後に第２のバーコードラベルを貼付した状態をそれぞれ表わしている。
【図２】図２（Ａ）〜図２（Ｃ）は同実施例の内部構造を表わしたものであり、図２（Ａ）は垂直断面図、図２（Ｂ）は反応プレートと分注チップを示す平面図、図２（Ｃ）は分注チップの他の例を示す概略断面図である。
【図３】図３は同実施例においてサンプルが導入された状態を示す垂直断面図である。
【図４】図４は同実施例において駆動ユニットのシリンジ駆動部がシリンジのプランジャと係合した状態を示す垂直断面図である。
【図５】図５は同実施例において駆動ユニットのチップ保持部が分注チップと係合した状態を示す垂直断面図である。
【図６】図６は同実施例において分注チップが保持部から取り外された状態を示す垂直断面図である。
【図７】図７は本発明の反応容器キットにおける反応生成物の検出に用いる検出ユニットの第１の例を示す垂直断面図である。
【図８】図８は本発明の反応容器キットにおける反応生成物の検出に用いる検出ユニットの第２の例を示す垂直断面図である。
【図９】図９は本発明の反応容器キットにおける反応生成物の検出に用いる検出ユニットの第３の例を示す垂直断面図である。
【図１０】図１０（Ａ）〜図１０（Ｂ）は反応容器キットの他の実施例を表わす図であり、図１０（Ａ）は垂直断面図、図１０（Ｂ）は反応プレートと分注チップを示す平面図である。
【図１１】図１１は同実施例の反応容器キットにおける反応生成物の検出に用いる検出ユニットの例を反応容器とともに示す垂直断面図である。
【図１２】図１２（Ａ）〜図１２（Ｂ）は反応容器キットのさらに他の実施例を表わす図であり、図１２（Ａ）は垂直断面図、図１２（Ｂ）は反応プレートと分注チップを示す平面図である。
【図１３】図１３は同実施例の反応容器キットにおける反応生成物の検出に用いる検出ユニットの例を反応容器とともに示す垂直断面図である。
【図１４】図１４は反応容器キットのさらに他の実施例を反応生成物の検出に用いる検出ユニットの例とともに示す垂直断面図である。
【図１５】図１５は反応容器キットの他の実施例を表わす垂直断面図である。
【図１６】図１６（Ａ）〜図１６（Ｃ）は反応容器キットのさらに他の実施例を表わす図であり、図１６（Ａ）は垂直断面図、図１６（Ｂ）は反応プレートと分注チップを示す平面図、図１６（Ｃ）は外観斜視図である。
【図１７】図１７（Ａ）〜図１７（Ｃ）は反応容器キットのさらに他の実施例を表わす図であり、図１７（Ａ）は垂直断面図、図１７（Ｂ）は反応プレートと分注チップを示す平面図、図１７（Ｃ）は外観斜視図である。
【図１８】図１８（Ａ）〜図１８（Ｃ）は反応容器キットのさらに他の実施例を表わす図であり、図１８（Ａ）は垂直断面図、図１８（Ｂ）は反応プレートと分注チップを示す平面図、図１８（Ｃ）は外観斜視図である。
【図１９】図１９（Ａ）〜図１９（Ｃ）は反応容器キットのさらに他の実施例を表わす図であり、図１９（Ａ）は垂直断面図、図１９（Ｂ）は反応プレートと分注チップを示す平面図、図１９（Ｃ）は外観斜視図である。
【図２０】図２０は反応容器処理装置の一例を示す内部の概略斜視図である。
【図２１】図２１は同反応容器処理装置における制御系を示すブロック図である。
【符号の説明】
【００３７】
２，２ａ，２ｂ，２ｃ      反応プレート
３      基板
４      反応部
１２      試薬容器
１４      フィルム
２０      分注ノズル
２２      シリンジのプランジャ
２３      フィルタ
２４      カバー
２６      カバー本体
２８      ベローズフィルム
３２，３２ａ      サンプル容器
６４，６４ａ，７１      カバープレート
６６，６８，７２      シール材
１００，１１０，１２０      ＤＮＡチップ
１０６      電極
１０２      電気泳動分離用流路
１３０      第１のバーコードラベル
１３４      第２のバーコードラベル
１３８      第１のバーコードラベルの一部
【発明を実施するための最良の形態】
【００３８】
図１（Ａ）〜図１（Ｃ）は一実施例の反応容器キットを表わす斜視図であり、図１（Ａ）はサンプルが注入される前の状態、図１（Ｂ）はサンプルを注入するために第１のバーコードラベルを剥がした状態、図１（Ｃ）はサンプルを注入した後に第２のバーコードラベルを貼付した状態をそれぞれ表わしている。図２（Ａ）〜図２（Ｃ）は同実施例の内部構造を具体的に示したものであり、図２（Ａ）は垂直断面図、図２（Ｂ）は反応プレートと分注チップ２０を示す平面図、図２（Ｃ）は分注チップの他の例を示す概略断面図である。
図２（Ａ），図２（Ｂ）に示されるように、反応プレート２は基板３の表面側にサンプルに反応を起こさせる反応部４及びサンプルの反応に使用される試薬を収容しフィルム１４で封止された試薬容器１２を備えている。【００３９】
反応部４は基板３の表面に凹部として設けられている。反応部４は反応に際して外部から温度制御されるものである場合には、熱伝導率をよくするためにその部分の反応部４の肉厚が薄くなっていることが好ましい。【００４０】
試薬容器１２は基板３に形成された複数の凹部からなり、それらの凹部に必要な試薬が収容され、後で説明する分注チップ２０で貫通可能なフィルム１４で覆われている。フィルム１４は、例えばアルミニウム箔、アルミニウムとＰＥＴ（ポリエチレンテレフタレート）フィルムなどの樹脂フィルムとの積層膜などであり、容易に剥がれないように融着や接着により貼りつけられている。【００４１】
基板３の表面には必要に応じてサンプルと試薬とを混合するための混合部も凹部として形成しておいてもよく、そのような混合部は空の状態でフィルム１４により覆われているものとすることができる。【００４２】
反応部４での反応生成物を検出するために反応部４に外部から光を照射するなどの手段により反応部４自体を検知部とすることもできる。また、検知部を反応部４とは別に独立して設けることもできる。そのような独立した検知部としては、例えばサンプルと試薬の反応後の反応液が分注チップ２０によって分注されるようにしたもので、反応後の状態が検知される試薬がそれぞれ予め配置されているものとすることができる。そのような検知部もその表面が分注チップ２０によって貫通可能なフィルムによって覆われたものとすることができる。そのようなフィルムもフィルム１４と同様に、例えばアルミニウム箔、アルミニウムとＰＥＴフィルムなどの樹脂フィルムとの積層膜などとすることができ、容易に剥がれないように融着や接着により貼りつけることができる。【００４３】
反応部４を含む基板３の材質は特に限定されるものではないが、この反応容器が使い捨て可能であることから、安価に入手可能な素材があることが好ましい。そのような素材として、例えばポリプロピレン、ポリカーボネートなどの樹脂素材が好ましい。反応部４又は別途設けた検知部で検出を吸光度、蛍光、化学発光又は生物発光などにより行なう場合には、底面側から光学的な検出ができるようにするために光透過性の樹脂で形成されていることが好ましい。特に蛍光検出を行なう場合には、基板３の材質として低自蛍光性（それ自身からの蛍光発生が少ない性質のこと）で光透過性の樹脂、例えばポリカーボネートなどの素材で形成されていることが好ましい。基板２の厚さは０.３〜４ｍｍ、好ましくは１〜２ｍｍである。蛍光検出用の低自蛍光性の観点からは基板３の厚さは薄い方が好ましい。【００４４】
反応プレート２の表面側の上部には分注チップ２０が配置されている。分注チップ２０はサンプル及び試薬、又は反応プレート２が独立した検知部を備えたものである場合にはさらに反応後の反応液をその検知部に分注するものである。分注チップ２０はシリンジ２２を備えており、カバー２４の外部からこのシリンジ２２を駆動することによって分注動作を行なう。【００４５】
分注チップ２０は、図２（Ｃ）に示されるように、シリンジ２２の代わりに内部にフィルタ２３を備えているものでもよい。そのフィルタは外部から侵入する異物を吸着してカバー２４で覆われた空間に外部から異物が侵入するのを阻止し、またカバー２４で覆われた空間から反応物や反応生成物が外部に放出されるのを阻止する上でより有効である。【００４６】
カバー２４は反応プレート２の表面側の上部空間を覆うように設けられている。カバー２４は周辺部を覆うカバー本体２６と、上部を覆うベローズフィルム２８とからなっており、反応プレート２の表面側の空間を外部から遮断している。カバー本体２６は下端部が反応プレート２に固着されているか、又はシール材を介して反応プレート２と一体として組み立てられており、剛性をもってカバー２４の形状を維持している。ベローズフィルム２８は柔軟性のあるダイアフラムや柔軟性のあるフィルムからなり、分注チップ２０をその先端部がカバー２４で覆われた空間の内側、基端部がカバー２４で覆われた空間の外側になるようにして移動可能に保持している。【００４７】
カバー２４の素材も特に限定されるものではなく、反応プレート２の表面側の上部空間を気密を保って覆うことができるものであればよいが、この反応容器が使い捨て可能であることから、安価に入手可能な素材があることが好ましい。そのような素材として、カバー本体２６には例えばポリプロピレン、ポリカーボネートなどの樹脂素材、ベローズフィルム２８にはナイロン（登録商標）、ポリ塩化ビニール、シリコーンゴムその他のゴム素材などが好ましい。【００４８】
カバー本体２６の一部又は基板３には使用前及び使用後の分注チップ２０を保持するための保持部材３０が設けられており、分注チップ２０は分注時には保持部材３０から取り外されて反応プレート２の表面側の上部を自由に移動できるようになる。【００４９】
カバー２４の外部から反応プレート２にサンプルを導入するためにカバー本体２６の一部に開口３１が設けられ、その開口３１にはサンプル容器３２が開閉可能に取りつけられてサンプル導入部を構成している。【００５０】
この反応容器は、使用前、すなわちサンプル分注前の状態では、図１（Ａ）に示されるように、カバー本体２６の外側にはサンプル容器３２を被う第１のバーコードラベル１３０が予め貼付されている。第１のバーコードラベル１３０は反応容器へのサンプル分注前に読むためのものであって、その反応容器に固有の情報を示すデータとその反応容器にはまだサンプルが注入されていないことを示すデータがバーコード１３２によって記録されている。【００５１】
サンプル注入前に第１のバーコードラベルのバーコード１３２をバーコードリーダにより読み取り、その反応容器が、注入しようとするサンプルについて依頼を受けた検査項目用の反応容器であるか否かを自動的に判定するとともに、その反応容器はまだサンプルが注入されていないものであることも判定する。
第１のバーコードラベル１３０はサンプル容器３２を被うように貼付されているので、第１のバーコードラベル１３０を剥がさなければその開口３１を開けることはできない。【００５２】
反応容器にはさらに、サンプル分注後に読むための第２のバーコードラベル１３４が備えられている。第２のバーコードラベル１３４はその反応容器に貼付できるように、一部がその反応容器に取り付けられており、接着面が剥離紙で被われている。その剥離紙を剥がすことにより、バーコードラベル１３４を反応容器に貼付してサンプル容器３２を被い、開口３１を密閉することができる。第２のバーコードラベル１３４にはその反応容器にはすでにサンプルが注入されていることを示すデータがバーコード１３６（図１（Ｃ）参照。）によって記録されている。【００５３】
バーコードラベル１３０，１３４の裏面（バーコードが印刷されている面を表面とする。）は接着面となっている。バーコードラベル１３０，１３４の具体的な例は、基材に接着剤が塗布されたものである。基材としては、ポリエチレンフィルム、ポリプロピレンフィルム、ポリスチレンフィルム、合成紙、ポリイミドフィルム、可変情報用フィルムなどを使用することができる。また、基材に塗布される接着剤としては、ＰＶＡ系エマルジョン、ＳＢＲ系エマルジョン、アクリル系エマルジョン、合成ゴム系エマルジョン、感圧接着剤、感熱接着剤などを使用することができる。バーコードラベル１３０はサンプル注入の際に剥がすものであるので、基材に塗布される接着剤としては容易に剥がせるような粘着剤であることが好ましい。【００５４】
サンプル容器３２にはサンプルを注入するために上に開いた凹部が形成されている。その凹部にサンプルを注入し、カバー２４の内部に位置決めすると、サンプル容器３２を保持しているプレート３４が開口３１を閉じる。その後、バーコードラベル１３４の接着面の剥離紙を剥がし、バーコードラベル１３４によってプレート３４を被うようにバーコードラベル１３４をカバー本体２６に貼り付ける。これにより、バーコードラベル１３４によって開口３１が密閉される。
この反応容器は使い捨て可能なものであり、１つのサンプルについて分析を行なった後は反応プレート２がカバー２４で覆われた状態のままでこの反応容器全体を破棄する。【００５５】
次に、この実施例の反応容器キットによりサンプルを分析する動作を説明する。
使用前の反応容器は図１（Ａ）の状態で供給される。サンプル注入前に第１のバーコードラベルのバーコード１３２をバーコードリーダにより読み取り、その反応容器が、注入しようとするサンプルについて依頼を受けた検査項目用の反応容器であるか否かを自動的に判定する。その反応容器が正しいものであったときは、第１のバーコードラベル１３０を剥がすと、図１（Ｂ）に示されるようにサンプル容器３２が現われる。サンプル容器３２を引き出し、そこにサンプルを注入し、再びサンプル容器３２を反応容器に戻す。【００５６】
次に、図１（Ｃ）に示されるように、第２のバーコードラベル１３４の剥離紙を剥がして第２のバーコードラベル１３４をサンプル容器３２上に貼付する。これで、第２のバーコードラベル１３４により開口３１が密封され、サンプルがこの反応容器のカバー２４で覆われた空間内に導入された状態で外部と遮断される。【００５７】
第２のバーコードラベル１３４には、その反応容器にはすでにサンプルが注入されていることを示すデータがバーコード１３６により記録されているので、そのバーコード１３６をバーコードリーダで読み取ることにより、その反応容器にはすでにサンプルが注入されていることを自動的に判定することができる。【００５８】
図１（Ａ）で鎖線で示されたバーコードラベル１３８は他の実施例における第１のバーコードラベルの一部をなすものである。この場合、第１のバーコードラベルは剥がされるようになっている部分１３０と、サンプル分注にあたっても剥がされない部分１３８とからなっており、剥がされずに反応容器に貼付されたまま残る部分１３８には、例えばその反応容器で検査される項目などの反応容器に固有の情報を示すデータをバーコード１４０により記録しておき、剥がされるべき部分１３０にはその反応容器にはまだサンプルが注入されていないことを示すデータをバーコード１３２により記録しておく。サンプル注入方法はこの部分１３８を備えていない反応容器の場合と同じであり、その部分１３８がサンプル注入後も剥がされずに反応容器に貼付されたまま残ることになる。【００５９】
以下に示すその他の実施例において、バーコードラベルの図示は省略しているが、いずれの実施例においても図１の実施例で示したようにカバー本体の外側にはサンプル容器を被う第１のバーコードラベル１３０が予め貼付されており、第２のバーコードラベル１３４が反応容器に貼付できるようにその一部が反応容器に取り付けられている。また、反応容器に貼付されたままで残るバーコードラベル部分１３８が設けられているようにしてもよい。【００６０】
図３はサンプルが導入された状態で、駆動ユニット３６が分注チップ２０とシリンジ２２との係合を開始する状態を示している。
まず、図４に示されるように、シリンジ駆動部であるプランジャホルダ３６ｂが下降してシリンジ２２のプランジャと係合する。
続いて、図５に示されるように、チップホルダ３６ａも下降して分注チップ２０に圧入されて分注チップ２０を保持する。【００６１】
次に、図６に示されるように、分注チップ２０が保持部３０から取り外される。これで分注チップ２０はベローズフィルム２８によって外部と遮断された状態で自由に移動できるようになる。【００６２】
分注チップ２０はサンプル容器３２のサンプルへ移動させられ、サンプルを注入して反応部４へ分注する。
続いて分注チップ２０は試薬容器１２へ移動させられ、フイルム１４を貫通して試薬容器１２から試薬を反応部４へ分注して、反応に供される。この反応時に、必要に応じて反応部４が外部の熱源と接触させられ、所定の温度に制御される。【００６３】
反応中又は反応終了後、反応生成物の検知が行なわれる。ここでは、反応生成物が反応部４にある状態で反応プレート２の外部から光学的に検知されるものとする。そのため、反応部４の下方には検出ユニットが配置されて光学的又は他の手段により検出が行なわれる。【００６４】
上記の実施例では反応プレート２は試薬容器１２を備えているが、反応プレート２は試薬容器１２を備えないものとすることもできる。その場合、試薬はサンプルとともにサンプル容器３２に注入してこの反応容器内に導入したり、又は図示していない別の容器に入れてこの反応容器内に導入したりするように使用することができる。【００６５】
図７から図９に本発明の反応容器キットにおける反応容器での反応生成物の検出に用いる検出ユニットの例を示す。
図７は吸光度検出器からなる検出ユニットの例である。この場合、反応部４は測定光の入射面と出射面となる互いに平行な一対の平面を備えていることが好ましい。【００６６】
この検出ユニット３８ａには、照射光学系として光源４０ａと、光源４０ａからの光を集光し、いったん平行光にした後に反応部４に集光して照射する一対のレンズ４２ａと、一対のレンズ４２ａ間で平行光にされた部分に配置されて光源４０ａからの光から所定の波長光を選択して測定光とするフィルタ４４ａと、測定光を反応部４の入射面に導くミラー４６とが光路上に配置されている。光源４０ａとしては、紫外領域から可視領域の波長の光を発生するタングステンランプなどのランプ光源のほか、発光ダイオード（ＬＥＤ）やレーザダイオード（ＬＤ）などを使用する。また、受光光学系として、光検出器４８ａと、反応部４の出射面を出た光を光検出器４８ａに導くミラー５０と、その光をいったん平行光にした後に集光し光検出器４８ａに入射させる一対のレンズ５２と、一対のレンズ５２間で平行光にされた部分に配置されて測定に適した所定の波長を選択するフィルタ５４ａとが光路上に配置されている。【００６７】
レンズ４２ａ，５２ａでそれぞれの光をいったん平行光にするのは、フィルタ４４ａ，５４ａにおける波長選択の精度を高めるためである。
この検出ユニット３８ａでは光源４０ａからの光から反応生成物の検出に適した波長をフィルタ４４ａ，５４ａにより選択し、その波長での吸光度を測定して反応生成物の検出を行なう。【００６８】
図８は蛍光検出器からなる検出ユニットの例である。
この検出ユニット３８ｂは励起光学系として光源４０ｂと、光源４０ｂからの光を集めていったん平行光とした後、反応部４に集光して照射するための一対のレンズ４２ｂと、レンズ４２ｂで平行光とされた光線の光路に配置されて光源からの光から所定の励起光波長を選択するフィルタ４４ｂとを備えている。また、受光光学系として光検出器４８ｂと、反応部４から発生する蛍光を受光し、いったん平行光とした後、集光して検出器４８ｂに入射させる一対のレンズ５２ｂと、レンズ５２ｂにより平行光とされた蛍光の光路に配置され、所定の蛍光波長を選択するフィルタ５４ｂとを備えている。ここでも、レンズ４２ｂ，５２ｂでそれぞれの光をいったん平行光にするのは、フィルタ４４ｂ，５４ｂにおける波長選択の精度を高めるためである。【００６９】
この検出ユニット３８ｂでは光源４０ｂからの光からフィルタ４４ｂにより反応生成物を励起するための励起光の波長を選択して反応部４内の反応生成物に照射し、反応生成物から発生した蛍光を受光光学系で受光し、フィルタ５４ｂにより所定の蛍光波長を選択して光検出器４８ｂで蛍光を検出する。【００７０】
図９は反応生成物からの化学発光又は生物発光を検出するための検出ユニットの例である。
この検出ユニット３８ｃは、反応部４からの発光を検出するために、光検出器４８ｃと、反応部４からの発光を受光して光検出器４８ｃに導くためのレンズ５２ｃと、集められた光から所定の発光波長を選択するフィルタ５４ｃを備えている。
この検出ユニット３８ｃでは反応部４中の反応生成物からの化学発光又は生物発光による光がレンズ５２ｃで集められ、フィルタ５４ｃで波長が選択されて光検出器４８ｃで検出される。【００７１】
図１０から図１４は反応プレートの構造が異なる他の実施例を表わしたものである。以上の実施例の反応プレートでは反応生成物の検出を反応部４で行なうようにしているが、図１０から図１４に示す実施例では反応プレートは反応生成物の分析を行なう分析部をさらに備えている。【００７２】
図１０の実施例における反応プレート２ａは、分析部として電気泳動部を備えている。その電気泳動部の一例が電気泳動チップ１００であり、電気泳動チップ１００は、反応生成物の注入部１０３、電気泳動分離用流路１０２及び泳動電圧印加用電極１０６ａ〜１０６ｄを備えている。ここでは、電気泳動分離用流路１０２のほかに、電気泳動分離用流路１０２と交差し、電気泳動分離用流路１０２に試料を導入するための試料導入用流路１０４も備えているが、電気泳動分離用流路１０２の一端に直接に試料を導入するように構成されたものであってもよい。電気泳動チップ１００は裏面側から蛍光検出するために、低自蛍光性で光透過性の樹脂、例えばポリカーボネートなど、ガラス又は石英などの素材で形成されている。【００７３】
反応プレート２ａは、その表面側に、流路１０２，１０４に注入される分離バッファ液を収容し分注チップ２０の先端で挿入可能なフィルムで封止された分離バッファ液容器１５も備えている。【００７４】
泳動電圧印加用電極１０６ａ〜１０６ｄはそれぞれ流路１０２，１０４の端部に接続され、この反応容器の外部に設けられた電源装置に接続できるように、カバー２４の外側に導かれている。
流路１０２，１０４の端にはリザーバが設けられ、分離バッファ液容器１５に収容された分離バッファ液はそれらのリザーバに入れられる。
この実施例を遺伝子の分析に使用する場合の一例を示すと、試薬容器１２にはＰＣＲ反応試薬を収容しておく。反応部４はＰＣＲ反応部となる。【００７５】
この実施例の反応容器キットで遺伝子試料を測定する場合は、試料をサンプル容器３２から導入し、反応容器を処理装置に装着する。その処理装置内で、分注チップ２０によってサンプル容器３２から反応部４へ分注し、さらに分注チップ２０によって試薬容器１２からＰＣＲ反応試薬を反応部４へ分注し、さらにその上に図示していないミネラルオイルを重層した後、反応部４の反応液を所定の温度サイクルになるように制御してＰＣＲ反応を起こさせる。
電気泳動チップ１００では、分注チップ２０によって分離バッファ液を分離バッファ液容器１５から電気泳動チップ１００のリザーバを介して流路１０２，１０４に供給する。【００７６】
ＰＣＲ反応終了後の反応液を試料として分注チップ２０によって反応部４から分離バッファ液供給すみの電気泳動チップ１００の注入部１０３に注入する。その後、処理装置に設けられた電源装置１０１（図１１参照。）から電極１０６ａ〜１０６ｄにより流路１０２，１０４に電圧を印加して、試料を電気泳動分離用流路１０２へ導入し、その後電気泳動分離用流路１０２を泳動させて分離する。
電気泳動分離された試料成分を検出するために、処理装置には検出ユニット３８ｄが設けられている。
ここでは、反応部４をＰＣＲ反応部として使用しているが、反応部４とは別にＰＣＲ反応部を設けてもよい。【００７７】
その検出ユニット３８ｄを図１１に示す。この検出ユニット３８ｄは励起光学系と蛍光受光光学系を備えて、電気泳動分離用流路１０２の所定の位置を通過する試料成分の蛍光検出を行なう。検出ユニット３８ｄは固定された位置を通過する試料成分の蛍光検出を行なうので、検出ユニット３８ｄは移動させる必要はない。【００７８】
その励起光学系は光源４０ｃと、光源４０ｃからの光を集めて平行光とするレンズ４２ｃと、レンズ４２ｃで平行光とされた光線の光路に配置されて光源からの光から所定の励起光波長を選択するフィルタ４４ｃとを備えている。【００７９】
励起光学系からの励起光を電気泳動チップ１００の裏面から電気泳動分離用流路１０２の所定の位置に照射し、その位置から発生した蛍光を受光して平行光にするためにダイクロイックミラー５３と対物レンズ５５を備えている。ダイクロイックミラー５３はこの実施例で使用する励起光波長の光を反射し、蛍光波長の光を透過させるように分光波長が設定されている。【００８０】
蛍光受光光学系は対物レンズ５５により平行光とされてダイクロイックミラー５３を透過した蛍光を受光する位置に配置されており、ダイクロイックミラー５３を透過した蛍光から所定の蛍光波長を選択するフィルタ５４ｃと、フィルタ５４ｃにより波長選択された蛍光を集光して検出器４８ｃに入射させるレンズ５２ｃとを備えている。ここでも、レンズ４２ｃ，５５でそれぞれの光をいったん平行光にするのは、フィルタ４４ｃ，５４ｃにおける波長選択の精度を高めるためである。【００８１】
この検出ユニット３８ｄでは光源４０ｃからの光からフィルタ４４ｃにより反応生成物を励起するための励起光の波長を選択して電気泳動分離用流路１０２の所定の位置を通過する反応生成物に照射し、反応生成物から発生した蛍光を受光光学系で受光し、フィルタ５４ｃにより所定の蛍光波長を選択して光検出器４８ｃで蛍光を検出する。【００８２】
図１２の実施例における反応プレート２ｂは、分析部としてＤＮＡチップ１１０を備えている。ＤＮＡチップ１１０には、反応生成物に遺伝子が含まれている場合にその遺伝子と反応するプローブが固定されている。ＤＮＡチップ１１０は裏面側から蛍光検出するために、低自蛍光性で光透過性の樹脂、例えばポリカーボネートなど、又はガラスで形成されている。【００８３】
反応プレート２ａは、その表面側に、ＤＮＡチップ１１０においてプローブと結合した反応生成物から結合しなかった反応生成物を分離して除去するための洗浄液を収容し分注チップ２０の先端で挿入可能なフィルムで封止された洗浄液容器１７も備えている。
この実施例を遺伝子の分析に使用する場合の一例を示すと、試薬容器１２にはＰＣＲ反応試薬を収容しておく。反応部４はＰＣＲ反応部となる。【００８４】
この実施例の反応容器キットで遺伝子試料を測定する場合は、試料をサンプル容器３２から導入し、反応容器を処理装置に装着する。その処理装置内で、分注チップ２０によってサンプル容器３２から反応部４へ分注し、さらに分注チップ２０によって試薬容器１２からＰＣＲ反応試薬を反応部４へ分注し、さらにその上に図示していないミネラルオイルを重層した後、反応部４の反応液を所定の温度サイクルになるように制御してＰＣＲ反応を起こさせる。【００８５】
ＰＣＲ反応終了後の反応液を試料として分注チップ２０によって反応部４からＤＮＡチップ１１０に注入する。インキュベーションの後、分注チップ２０によって洗浄液容器１７から洗浄液をＤＮＡチップ１１０に注入し、プローブと結合しなかった反応生成物を分注チップ２０によって洗浄液とともに吸入して除去する。【００８６】
反応生成物は蛍光物質によって標識しておくことにより、プローブと結合した反応生成物を蛍光により検出することができる。それにより、蛍光が検出された位置のプローブに対応した遺伝子がその試料中に含まれていたことが検出される。
分注チップ２０でプローブと結合した反応生成物を検出するために、処理装置には検出ユニット３８ｅが設けられている。【００８７】
その検出ユニット３８ｅを図１３に示す。この検出ユニット３８ｅの光学系の構成は図１１に示された検出ユニット３８ｄと同じであるので、説明は省略する。この検出ユニット３８ｅは、ＤＮＡチップ１１０に配置されたプローブの位置にわたって移動しなければならないので、移動可能に支持されている点で図１１に示された検出ユニット３８ｄと異なる。その移動は、後の図２０に示されるように、テーブル８２のＸ方向の移動と、この検出ユニット３８ｅのＹ方向の移動により実現することができる。【００８８】
図１４の実施例における反応プレート２ｃは、分析部としてＤＮＡチップ１２０を備えている。ＤＮＡチップ１２０は検出を蛍光検出ではなく、電気的に行なう点で図１２の実施例のＤＮＡチップ１１０と異なる。プローブへの試料遺伝子の結合の有無によりプローブの電流値が変化する現象を利用する。ＤＮＡチップ１２０は光学的な検出を行なわないので、光透過性の材質である必要はなく、絶縁性であればよい。【００８９】
ＤＮＡチップ１２０には反応生成物に遺伝子が含まれている場合にその遺伝子と反応するプローブが固定されている。それらの各プローブからは裏面側に電極が取り出され、各フローブの電流値が測定されるようになっている。この実施例では、試料を蛍光物質で標識しておく必要はない。【００９０】
ＤＮＡチップ１２０での測定を行なうために、各プローブから裏面側に取り出された電極は、処理装置に設けられた検出器１２２に接続され、各プローブの電流値が測定される。
反応プレート２ｃも、その表面側に、ＤＮＡチップ１２０においてプローブと結合した反応生成物から結合しなかった反応生成物を分離して除去するための洗浄液を収容し分注チップ２０の先端で挿入可能なフィルムで封止された洗浄液容器１７を備えている。試薬容器１２にはＰＣＲ反応試薬を収容しておく。反応部４はＰＣＲ反応部となる。【００９１】
この実施例の反応容器キットで遺伝子試料を測定する場合は、試料をサンプル容器３２から導入し、反応容器を処理装置に装着する。その処理装置内で、分注チップ２０によってサンプル容器３２から反応部４へ分注し、さらに分注チップ２０によって試薬容器１２からＰＣＲ反応試薬を反応部４へ分注し、さらにその上に図示していないミネラルオイルを重層した後、反応部４の反応液を所定の温度サイクルになるように制御してＰＣＲ反応を起こさせる。【００９２】
ＰＣＲ反応終了後の反応液を試料として分注チップ２０によって反応部４からＤＮＡチップ１２０に注入する。その後、分注チップ２０によって洗浄液容器１７から洗浄液をＤＮＡチップ１２０に注入し、プローブと結合しなかった反応生成物を分注チップ２０によって洗浄液とともに吸入して除去する。【００９３】
分注チップ２０でプローブと結合した反応生成物を検出するために、処理装置には検出器１２２が設けられており、プローブと結合しなかった反応生成物を除去し、検出器１２２により各プローブの電流値を測定する。
図１２又は図１４の実施例において、ＤＮＡチップ１１０，１２０をハイブリダイズ用の領域に替えても同様に遺伝子を測定することができる。【００９４】
図１５はカバーの構造が異なる他の実施例を表わしたものである。分注チップ２０を移動可能に支持し、反応プレート２の上部を覆うためのカバーの一部が、図１の実施例ではベローズフィルム２８であったのに対し、図１５の実施例では柔軟に変形するフィルム状の素材２８ａになっている点で異なる。フィルム状の素材２８ａとしては、ベローズフィルム２８と同様に、ナイロン（登録商標）、ポリ塩化ビニール、シリコーンゴムその他のゴム素材などが好ましい。【００９５】
また、サンプル容器として図１の実施例ではその一辺がカバー本体２６に回動可能に支持されているのに対し、図１５の実施例におけるサンプル容器３２ａは、カバー本体２６に対しスライド可能に取りつけられている点で異なる。このようなサンプル容器３２ａにおいても、サンプル容器３２ａはカバー本体２６から外部に引き出すことによりサンプル容器３２ａに試料を分注することができる。また、サンプル容器３２ａがカバーで被われた空間内にサンプルを注入した状態で開口３１を密閉するようにカバーに貼り付けられるバーコードラベル１３４（図１参照。）が設けられている。バーコードラベル１３４により開口３１の密閉方法は図１の実施例のものと同じである。【００９６】
これらの検出ユニット３８ａ，３８ｂ，３８ｃはこの反応容器の処理を行なう処理装置において、反応容器が処理装置に装着された状態で、反応プレート２の下側にくるように配置されている。【００９７】
図１６は反応容器キットのさらに他の実施例を表わしたものである。（Ａ）は垂直断面図、（Ｂ）は水平断面図、（Ｃ）は外観斜視図である。
この実施例では分注チップ２０を移動可能に支持するカバーが剛性をもった素材で構成されている。カバー２４ａのカバー本体６０は反応プレート２の上方に開口６２をもち、その開口６２にはその開口６２の範囲内で分注チップ２０を移動可能に支持するためのカバープレート６４が設けられている。カバー本体６０は開口部６２の周辺が隙間をもつ二重構造になっており、カバープレート６４はその周辺にシール材６６を備え、シール材６６がカバー本体６０の開口部６２の周辺の二重構造の隙間に挟まれてＸ方向に移動することにより、カバープレート６４が水平面内でＸ方向に移動することができる。カバープレート６４には分注チップ２０が他のシール材６８を介して垂直方向（Ｚ方向）に摺動可能に支持されている。【００９８】
この実施例では、カバープレート６４がシール材６６とカバー本体６０の上部の二重構造の隙間とのシール構造により気密を保たれながら水平面内で移動し、分注チップ２０がシール材６８で気密を保たれながら上下方向に移動することにより、分注チップ２０が反応プレート２の上部空間を上下及び水平面内の両方向に自由に移動することができる。【００９９】
図１７はさらに他の実施例を表わしたものである。図１６の実施例と比較すると、カバープレート６４がＸ，Ｙの両方向に移動できるようになっていて、反応プレート２における試薬容器１２の数が増えている点で異なり、他の構造は同じである。【０１００】
図１８はさらに他の実施例を表わす。この実施例では分注チップ２０を面内方向で移動させるために、カバーの上部部材を構成するカバープレート６４ａが面内方向で回転可能に支持されている点で図１６の実施例と異なる。カバープレート６４ａは円板形であり、その周囲にシール材６６が取りつけられている。シール材６６はカバー本体６０の上部に設けられた二重構造の隙間に支持され、カバープレート６４ａを気密を保って回転可能に支持している。分注チップ２０はカバープレート６４ａにシール材６８により垂直方向に移動可能に支持され、その支持されている位置はカバープレート６４ａの回転中心から外れた位置である。【０１０１】
カバープレート６４ａが回転することにより分注チップ２０の位置はカバープレート６４ａの回転中心を中心とする円周上を移動する。反応プレート２ではその分注チップ２０の移動軌跡上に反応部４、試薬容器１２及びサンプル容器３２が位置するようにそれぞれの配置が定められている。【０１０２】
図１９はさらに他の実施例を表わしたものである。図１８の実施例と比較すると、カバープレート６４ａも開口７０をもち、その開口７０の周辺が二重構造となってその二重構造の隙間にシール材７２を介して他のカバープレート７１が移動可能に支持されている。分注チップ２０は他のシール材６８によりカバープレート７１に垂直方向に移動可能に支持されている。【０１０３】
分注チップ２０はシール材７２により面内方向においても移動することができるようになっている。そのため分注チップ２０の移動範囲はカバープレート６４ａの回転による円周と、小さいカバープレート７１がシール材７２により移動できる水平面内の移動範囲の両方により、カバープレート６４ａの回転中心を中心とするドーナツ状の範囲を移動することができる。このように分注チップ２０の移動範囲が広まることにより、その移動範囲に配置される反応部４及び試薬容器１２の数を増やすことができ、サンプル容器３２も含めてそれらの容器の配置に対する自由度が高まる。【０１０４】
図２０は本発明による反応容器キットを処理する処理装置の一例の内部を概略的に示した斜視図である。
８０は上記の実施例に示される反応容器キットを表わしている。反応容器８０は反応容器装着部であるテーブル８２上に装着される。テーブル８２は反応容器８０の下面側に開口をもち、テーブル８２の下部には反応容器８２の反応部４の反応生成物を光学的に検出する検出ユニット３８が配置されている。テーブル８２上には反応容器８２の温度制御を行なう温調（温度調節）ユニット８３も配置されている。反応容器の反応部４又は別に設けた遺伝子増幅反応部により遺伝子増幅反応を行なうものである場合には、温調ユニット８３はその遺伝子増幅反応のための温度制御を行なうものとなる。また、反応容器が温度制御を必要とする分析部を備えている場合には、温調ユニット８３はその分析部の温度制御を行なうものとなる。温調ユニット８３はそれらの両方の機能を備えたものであるものも含む。検出ユニット３８は図７〜図９に示されたものなどである。テーブル８２は前後方向（Ｘ方向）に移動し、一方、検出ユニット３８はそれに直交する横方向（Ｙ方向）に移動するように支持されている。【０１０５】
テーブル８２の近くには分注チップ２０を駆動する駆動ユニット３６がＹ方向とＺ方向に移動可能に取りつけられている。駆動ユニット３６は、図３に示されているように、分注チップ２０の基端部と係合して分注チップ２０を保持するチップ保持部３６ａと、分注チップ２０に設けられたシリンジ２２のプランジャと係合してシリンジを駆動するシリンジ駆動部３６ｂを同軸上に備えており、分注チップ２０の移動とシリンジ２２の駆動の両方を行なうことができるものである。【０１０６】
図２１は反応容器処理装置の一例における制御系を示したブロック図である。テーブル８２に装着された反応容器８０に対する処理動作を制御するために、専用のコンピュータ（ＣＰＵ）又は汎用のパーソナルコンピュータからなる制御部８４が設けられている。制御部８４は分注チップ２０の基端部と係合した駆動ユニット３６による分注チップ２０の移動と分注動作、温調ユニット８３による温度制御、及び反応容器８０の反応部４に測定光又は励起光を照射して反応生成物を光学的に検出する検出ユニット３８による検出動作を制御する。【０１０７】
実施例によってはバーコードラベル１３４の図示が省略されているものもあるが、いずれの実施例においてもカバー本体の外側にはサンプル容器がカバーで被われた空間内にサンプルを注入した状態でサンプル容器を挿入する開口を密閉するために、サンプル容器の外側を被ってカバー本体に貼り付けられるシール部材が設けられている点では共通している。【０１０８】
制御部８４を外部から操作する入力部として使用したり、検査結果を表示するモニターとして使用したりするために、制御部８４に外部コンピュータとして、例えばパーソナルコンピュータ（ＰＣ）８６を接続してもよい。
【産業上の利用可能性】
【０１０９】
本発明は種々の化学反応や生物化学反応の測定に利用することができる。
【図１】
2007132740.tif 000003
【図２】
2007132740.tif 000004
【図３】
2007132740.tif 000005
【図４】
2007132740.tif 000006
【図５】
2007132740.tif 000007
【図６】
2007132740.tif 000008
【図７】
2007132740.tif 000009
【図８】
2007132740.tif 000010
【図９】
2007132740.tif 000011
【図１０】
2007132740.tif 000012
【図１１】
2007132740.tif 000013
【図１２】
2007132740.tif 000014
【図１３】
2007132740.tif 000015
【図１４】
2007132740.tif 000016
【図１５】
2007132740.tif 000017
【図１６】
2007132740.tif 000018
【図１７】
2007132740.tif 000019
【図１８】
2007132740.tif 000020
【図１９】
2007132740.tif 000021
【図２０】
2007132740.tif 000022
【図２１】
2007132740.tif 000023
【国際調査報告】
2007132740.tif 000024
2007132740.tif 000025
2007132740.tif 000026
2007132740.tif 000027